(57)【要約】【課題】カッター刃を必要以上に長く出さないもので、安全性を高め、凶器転用への誘発を軽減すると共に、ワンタッチで瞬時にホルダー内へ収納できるものである。【解決手段】ホルダー１は、刃出口前方端に刃先部２ａを止める位置に刃出止部１ａと、止められたカッター刃２の先端刃片２ｂの片側一片分の露出と、その刃片の刃折れ筋２ｃの峰部からその刃折れ筋に沿うようにホルダー斜部１ｂを設け、そのホルダー斜部が刃部へ向かう中程から前方の刃部を広げる形状にしている。スライダー４を抱込みのスライド本体３は、巻バネ軸５ａが入り込む巻バネ軸孔３ｂと、ロックレバー４ａにロックするレバーロック部３ａと、ホルダー１の凹部１ｃにクリックロックする板バネ７を設置する板バネ設置部３ｃを設け、スライダー４は、端にカッター刃２着脱用の刃替凸部４ｂと、中程にロックレバー４ａと、他端に巻バネ６を挿入の巻バネ軸５ａを備えた押ボタン５を設けている。【選択図】図３
2007319202.tif 000002
【特許請求の範囲】
【請求項１】
ホルダーの刃出口前方端に設けられた刃出止部と、カッター機能に必要なカッター刃の刃長さ分のスライド可能なスライダーを抱込みしているスライド本体を備えた刃長出止タッチ収納カッターナイフにおいて、ホルダーの刃出口前方へ押し出されてくるカッター刃の刃先部が突き当り止まるように、刃出止部をホルダーの刃出口前方端に設けていることを特徴とする刃長出止タッチ収納カッターナイフ。
【請求項２】
ホルダーから押し出されるカッター刃の刃先部が刃出止部によって止められた状態でのホルダー背面の刃出口前方部分において、カッター刃の先端刃片の片側一片分を露出し、その刃片一片目の刃折れ筋の峰部からその刃折れ筋に沿うようにホルダー斜部を設け、そのホルダー斜部が峰部から刃部へ向かう中程から、前方の刃部あたりを広げる形状にしていることを特徴とする請求項１記載の刃長出止タッチ収納カッターナイフ。
【請求項３】
ホルダーにクリックロックしスライドするスライド本体は、スライダーをスライド可能な抱込形体になっており、スライダーのロックレバーにロックするレバーロック部と、巻バネを挿入している押ボタンの巻バネ軸が入り込み巻バネを圧縮可能に受け止める巻バネ軸孔と、ホルダーに設けている凹部にクリックロックする板バネを設置する板バネ設置部を設け、スライド本体への抱込みでカッター機能に必要なカッター刃の刃長さ分をスライドするスライダーは、カッター刃に接する端にカッター刃着脱用の刃替凸部を備え、中程に板バネ的弾力性を有するロックレバーと、他端に巻バネ軸を設置した押ボタンを設けており、上記の構成により、押ボタンによってスライダーを刃出口前方へ押すことで、スライド本体内で巻バネを圧縮させながら、カッター機能に必要なカッター刃の刃長さ分のスライドと、同時にロックレバーがレバーロック部にロックし、また、同ロックレバーによるロック解除で圧縮状態の巻バネの反発力発生により、スライダーを元位置に戻動させることができる機構を設けていることを特徴とする請求項１記載、２記載の刃長出止タッチ収納カッターナイフ。    
【発明の詳細な説明】
【技術分野】
【０００１】
本発明は、ホルダーに装着したカッター刃をカッター機能に必要な一定以上に長くホルダーから出さないようにし、且つ使用時に押し出されたカッター刃をワンタッチでホルダー内へ収納できるようにした刃長出止タッチ収納カッターナイフに関するものである。
【背景技術】
【０００２】
本発明に関連する周知のカッターナイフは、カッター刃の刃片を順次折り捨てることにより、次に続く鋭利な刃片に更新できる道具であるが、従来のカッターナイフではホルダーからカッター刃を必要以上に長く出してもホルダーにロックでき使用可能な機構になっており、また、使用時のカッター刃露出部分をホルダー内へ収納することに関しては、同方式のカッターナイフではワンタッチで瞬時にホルダー内へ収納するものはない。
【発明の開示】
【発明が解決しようとする課題】
【０００３】
解決しようとする問題点は、次のような再考すべき課題があった。カッター刃をホルダーから必要以上に長く出しても、使用可能な機構になっており、カッター刃を長くした状態では、カッター刃が不意に折れることがあって危険であり、さらに異常な刃長にもなることで凶器になるような使われ方に誘発され易いという課題があった。且つ使用後毎に、使用時のカッター刃前方露出部分をホルダー内へ収納する煩わしさを軽減できないかという課題もあった。
【０００４】
本発明はこのような課題に着目し、ホルダーの刃出口前方端に、カッター機能に必要な一定以上にカッター刃を出さないようにする機構と、使用後に使用時のカッター刃前方露出部分をホルダー内へワンタッチで瞬時に収納できる機構を併せ持つ刃長出止タッチ収納カッターナイフを提供できるようになされたものである。
【課題を解決するための手段】
【０００５】
本発明は、ホルダーの刃出口前方端に設けられた刃出止部と、カッター機能に必要なカッター刃の刃長さ分のスライド可能なスライダーを抱込みしているスライド本体を備えた刃長出止タッチ収納カッターナイフにおいて、ホルダーの刃出口前方へ押し出されてくるカッター刃の刃先部が突き当り止まるように、刃出止部をホルダーの刃出口前方端に設けていることを上記課題解決の手段にしている。
【０００６】
上記のような構成のもとで、第２の課題解決の手段は、ホルダーから押し出されるカッター刃の刃先部が刃出止部によって止められた状態でのホルダー背面の刃出口前方部分において、カッター刃の先端刃片の片側一片分を露出し、その刃片一片目の刃折れ筋の峰部からその刃折れ筋に沿うようにホルダー斜部を設け、そのホルダー斜部が峰部から刃部へ向かう中程から、前方の刃部あたりを広げる形状にしている。
【０００７】
また、第３の課題解決の手段は、上記構成のもとで、ホルダーにクリックロックしスライドするスライド本体は、スライダーをスライド可能な抱込形体になっており、スライダーのロックレバーにロックするレバーロック部と、巻バネを挿入している押ボタンの巻バネ軸が入り込み巻バネを圧縮可能に受け止める巻バネ軸孔と、ホルダーに設けている凹部にクリックロックする板バネを設置する板バネ設置部を設け、スライド本体への抱込みでカッター機能に必要なカッター刃の刃長さ分をスライドするスライダーは、カッター刃に接する端にカッター刃着脱用の刃替凸部を備え、中程に板バネ的弾力性を有するロックレバーと、他端に巻バネ軸を設置した押ボタンを設けており、上記の構成により、押ボタンによってスライダーを刃出口前方へ押すことで、スライド本体内で巻バネを圧縮させながら、カッター機能に必要なカッター刃の刃長さ分のスライドと、同時にロックレバーがレバーロック部にロックし、また、同ロックレバーによるロック解除で圧縮状態の巻バネの反発力発生により、スライダーを元位置に戻動させることができる機構を設けている。
【０００８】
上記第１の課題解決の手段による作用は、ホルダーの刃出口前方へ押し出されてくるカッター刃の刃先部をホルダーの刃出口前方端に設けられている刃出止部によって止めることで、カッター刃を一定以上に長く出さないようにできることから、必要以上の刃長によるカッター刃の不意な折れと、それに先端刃片の峰部はホルダーに支えられていることから、より強力な押切力に対しても刃折れを減らすことができ、且つ異常な刃長による凶器転用への誘発の軽減化に役立てることができるなど安全性を高めることができる。
【０００９】
第２の課題解決の手段による作用は、刃出止部によってカッター刃が止められた状態でのホルダー背面の刃出口前方部分に、カッター刃先端刃片の片側一片分を露出し、その刃片一片目の刃折れ筋の峰部からその刃折れ筋に沿うようにホルダー斜部を設けることで、先端刃片の更新時にその刃片一片分のみを折れるようにし、さらに前方の刃部あたりを広げる形状にすることによって、使用時におけるカッター機能に必要な一定の長さのカッター刃前方露出部分が得られることで常に安定した状態に保持することができる。
【００１０】
第３の課題解決の手段による作用は、刃替凸部にカッター刃を装着したスライダーを抱込みしたスライド本体をホルダーの後方より挿着し、カッター刃の刃先部がホルダーの刃出止部に前進を止められるまで押ボタンでスライド本体共に押し出すことによって使用時状態になるが、使用時状態におけるスライダーのロックレバーはスライド本体のレバーロック部にロックされ、且つ押ボタンに設置の巻バネ軸に挿入の巻バネは圧縮状態になっており、ロックレバーを上方へ押すことで、レバーロック部とのロックが解除され、スライド本体と接触している押ボタンは瞬時に後方へ押し戻され、使用時状態のカッター刃前方露出部分がホルダー内へ収納され非使用時状態にすることができる。再び押ボタンを前方へ押し出し、カッター刃が刃出止部で止められるまで押し出すことによって、ロックレバーがレバーロック部にロックされ、使用時状態になるが、この時、ホルダーに設けられている凹部とスライド本体に設置している板バネとのクリックロック強度は、スライド本体とスライダー間における巻バネ軸挿入の圧縮された巻バネ反発強度より大きく設定することにより、押ボタンを前方へ押しても、ホルダーにクリックロックされているスライド本体は押ボタンに接押しされるまでは前方へ移動せず、スライド本体内での巻バネは確実に圧縮し続け、圧縮完了と同時にロックレバーがレバーロック部にロックし使用時状態になる。またそのロックレバーによるロック解除により圧縮している巻バネの反発力発生で、使用時状態のカッター刃前方露出部分をホルダー内へ確実に収納できるようにしている。
【発明の効果】
【００１１】
本発明の刃長出止タッチ収納カッターナイフは、装着のカッター刃をカッター機能に必要な一定以上にホルダーから長く出さない機構であり、カッター刃をホルダーから長く出した状態での使用はできないことから、刃長によるカッター刃の不意な折れによる危険性と、より強力な押切力に対しても刃折れを減らすことができ、且つ異常な刃長による凶器への転用を誘発する可能性を軽減させることができるカッターナイフを提供できる。
【００１２】
さらに、使用時の刃出止部で止められているカッター機能に必要とされるカッター刃の前方露出部分をロックレバーをタッチ押すだけで瞬時にホルダー内へ収納することができる利便性の高い機能をもつものである。
【発明を実施するための最良の形態】
【００１３】
以下、本発明の刃長出止タッチ収納カッターナイフにおける実施の形態を図に基づいて説明する。
【００１４】
図１は、本発明の実施形態の刃長出止タッチ収納カッターナイフの使用時における正面図であって、押ボタン５によって、ホルダー１から押し出されたカッター刃２をカッター機能に必要な一定以上に長く出さないようにした状態のものであり、図３は、同状態の背面図であり、一部、図４のIII―III部分断面図を表示したものである。図２は、図１の使用時状態のものを、ロックレバー４ａを上方に押しロックを解除することによって、瞬時に押ボタン５が後方へ移動し、使用時におけるカッター刃２の前方露出部分がホルダー１内へ収納された非使用時における正面図である。
【００１５】
本実施形態は、図１に示されているとおり、カッター刃２を着脱する刃替凸部４ｂを端に、ロックレバー４ａと他端に押ボタン５を接着しているスライダー４を抱込みしているスライド本体３をホルダー１にクリックロックし、スライド可能に挿着している構造のカッターナイフで、硬質鋼材を主素材としているホルダー１は、図3と、同図における図４のIII―III部分断面図に示されているように、刃出口前方端に刃出止部１ａを設け、押ボタン５で押し出されてくる総刃片数７個のカッター刃２の刃先部２ａが刃出止部１ａに突き当たり止められる毎に、スライド本体３に設置の板バネ７とクリックロックするように、凹部１ｃをホルダー１に刃片２ｂ間と同間隔で総刃片数プラス１個の８個設けている。
【００１６】
さらに、図３に示されているとおり、ホルダー１背面の刃出口前方端にある刃出止部１ａで止められたカッター刃２の先端刃片２ｂの片側一片分を露出し、その刃片一片目の刃折れ筋２ｃの峰部からその刃折れ筋に沿うようにホルダー斜部１ｂを設け、そのホルダー斜部が峰部から刃部へ向かう中程から、カッター刃２の前方刃部あたりを広げる形状にしている。
【００１７】
図１、図２に示されているとおり、カッター刃２前方露出部分の刃長さ分をスライド可能に抱込みしているスライド本体３は、硬質合成樹脂を主素材としており、ロックレバー４ａによってロックするレバーロック部３ａを設け、図３における図４のIII―III部分断面図と、図７に示されているように、巻バネ軸５ａに挿入の巻バネ６を圧縮可能に入り込む巻バネ軸孔３ｂを設け、さらに、ホルダー１の凹部１ｃにクリックロックする板バネ７を設置する板バネ設置部３ｃを設けている。
【００１８】
図１、図４、図６に示されているとおり、スライド本体３に抱込みのスライダー４は、弾力性のある硬質合成樹脂を主素材としており、カッター刃２に接する端にそのカッター刃を着脱する刃替凸部４ｂと、中程にレバーロック部３ａにロックする板バネ的弾力性を有するロックレバー４ａと、他端に押ボタン５を取付け接着させる押ボタン接部４ｃを設けている。
【００１９】
図１、図５に示されているように、押ボタン５は、弾力性のある硬質合成樹脂を主素材としており、スライダー４の押ボタン接部４ｃに取付け接着するための押ボタン接孔５ｂを設け、さらに巻バネ６を挿入できるように巻バネ軸５ａを設けている。
【００２０】
以下、上記構成の動作を説明する。押し出されるカッター刃２の刃先部２ａが刃出口前方端の刃出止部１ａで止められることで、必要以上の刃長による不意な刃折れと、それに先端刃片２ｂの峰部はホルダー１に支えられておりより強力な押切力に対しても刃折れを減らすことができ、且つ異常な刃長による凶器転用への誘発などの防止に役立ち、さらに止められたカッター刃２の先端刃片２ｂの片側一片分を露出し、その刃片一片目の刃折れ筋２ｃの峰部からその刃折れ筋に沿うようにホルダー斜部１ｂを設けることで、先端刃片２ｂの更新時にその刃片一片目から一片づつを折れるようにし、ホルダー斜部１ｂが刃部へ向かう中程から、前方の刃部を広げる形状にすることにより、カッター機能に必要な一定の長さのカッター刃２の前方露出部分を確保することができ、安全で安定した使い方ができる。
【００２１】
また、スライド本体３に抱込みしているスライダー４を押ボタン５によってホルダー１の刃出口前方へ押し出すことにより、スライド本体３内での巻バネ６は圧縮され、ロックレバー４ａがレバーロック部３ａにロックし、スライド本体３に押ボタン５が接押した形態となる。さらに押ボタン５を押しきると、刃先部２ａが刃出止部１ａで止められ使用時の状態となる。非使用時状態にするには、ロックレバー４ａを上方へ押すことでロックが解除され、圧縮していた巻バネ６の反発力でスライダー４が後方へ瞬時に移動し、ホルダー１の刃出口前方端に露出しているカッター刃２の前方部分をホルダー１内へ収納することができる。
【００２２】
上記動作中、ホルダー１の凹部１ｃとスライド本体３に設置の板バネ７とのロック強度を押ボタン５の巻バネ６の圧縮時強度より大きく設定することで、押ボタン５を前方へ押しても、スライド本体３はホルダー１にロックしたままで巻バネ６のみが圧縮し、圧縮完了と同時にロックレバー４ａがレバーロック部３ａにロックするが、押ボタン５に接押しされるまでは動かないようにしている。ロックレバー４ａがロックしている使用時状態では巻バネ６は圧縮状態であり、非使用時状態にするには、ロックレバー４ａでロック解除し、巻バネ６の反発力でカッター刃２を確実にホルダー１内へ収納することができる。
【図面の簡単な説明】
【００２３】
【図１】本発明実施形態のカッター刃出状態使用時における正面図
【図２】本発明実施形態のカッター刃収納状態非使用時における正面図
【図３】本発明実施形態のカッター刃出状態の背面図と図４のIII―III部分断面図
【図４】本発明実施形態のカッター刃出状態使用時における図１のIV―IV断面図
【図５】本発明実施形態のカッター刃収納状態非使用時における図２のV―V断面図
【図６】本発明実施形態の図３における部分断面図のVI―VI拡大断面図
【図７】本発明実施形態の図３における部分断面図のVII―VII拡大断面図
【符号の説明】
【００２４】
１      ホルダー
１ａ    刃出止部
１ｂ    ホルダー斜部
１ｃ    凹部
２      カッター刃
２ａ    刃先部
２ｂ    刃片
２ｃ    刃折れ筋
３      スライド本体
３ａ    レバーロック部
３ｂ    巻バネ軸孔
３ｃ    板バネ設置部
４      スライダー
４ａ    ロックレバー
４ｂ    刃替凸部
４ｃ    押ボタン接部
５      押ボタン
５ａ    巻バネ軸
５ｂ    押ボタン接孔
６      巻バネ
７      板バネ
【図１】
2007319202.tif 000003
【図２】
2007319202.tif 000004
【図３】
2007319202.tif 000005
【図４】
2007319202.tif 000006
【図５】
2007319202.tif 000007
【図６】
2007319202.tif 000008
【図７】
2007319202.tif 000009